(57)【要約】      （修正有）【課題】画素数を増加させることなく高精細な画像を表示または撮影する。【解決手段】平面状に配置された複数の画素１を備える映像装置であって、複数の画素１は、それぞれ一部に受光または発光を行う有効領域２を含み、各画素１における有効領域２は、予め定められた複数の位置のいずれかにランダムに配置される。また、レイアウトにおいて、各画素の境界における配線位置は、同一であってもよい。【選択図】図１
2007325202.tif 000002
【特許請求の範囲】
【請求項１】
平面状に配置された複数の画素を備える映像装置であって、
前記複数の画素は、それぞれ一部に受光または発光を行う有効領域を含み、
前記各画素における有効領域は、予め定められた複数の位置のいずれかにランダムに配置される
ことを特徴とする映像装置。
【請求項２】
レイアウトにおいて、前記各画素の境界における配線位置は、同一である
ことを特徴とする請求項１記載の映像装置。
【請求項３】
平面状に配置された複数の画素を備える撮影装置であって、
前記複数の画素は、それぞれ一部に受光を行う有効領域を含み、
前記各画素における有効領域は、予め定められた複数の位置のいずれかにランダムに配置される
ことを特徴とする撮影装置。
【請求項４】
平面状に配置された複数の画素を備える表示装置であって、
前記複数の画素は、それぞれ一部に発光を行う有効領域を含み、
前記各画素における有効領域は、予め定められた複数の位置のいずれかにランダムに配置される
ことを特徴とする表示装置。
【請求項５】
受光または発光を行う有効領域を含む、平面状に配置された複数の画素を備える映像装置の画素の配置方法であって、
前記各画素における有効領域の位置を、予め定められた複数の配置位置からランダムに選択する
ことを特徴とする画素の配置方法。
【発明の詳細な説明】
【技術分野】
【０００１】
本発明は、映像装置に関し、特に、平面状に配置された複数の画素を備える映像装置に関する。
【背景技術】
【０００２】
近年、映像情報を中心とするマルチメディア情報システムはわれわれの生活に深く根ざすようになってきた。映像情報を処理する映像装置が目指すところは、究極のところ、高精細でリアルな映像の撮影および表示であると言うことができる。これらの要求に対し、従来の映像装置の撮像系および表示系は、その解像度を高める方向に発展してきた。しかし撮像系および表示系の高解像度化は、必然的に映像情報量の急激な増加をもたらす。そのため、これらの映像装置には、映像情報量を削減するための情報圧縮などを行う信号処理回路系が必須となり、また伝送回路系にも高速動作を要求することとなる。その結果として、回路設計の困難化および消費電力の増大という深刻な問題に直面している。
【０００３】
また、従来のほぼすべて映像装置の撮像系と表示系の画素は、正方格子状に配置されている。図１１は、従来の映像装置の画素の配置例を示す図である。図１１は、３×３の９つの画素１０１の配置例を示す図である。各画素１０１は、受光素子の受光部または発光素子の発光部が形成される有効領域１０２と、トランジスタおよび配線等の周辺回路が形成される周辺領域１０３とを含む。図１１に示すように、従来の映像装置は、各画素内において有効領域１０２が同じ位置に配置された複数の画素１０１が規則的に配置されている。
【０００４】
また、画素を六角形格子状等に配置することで垂直方向の分解能を等価的に高める撮像素子もあるが、画素が規則的に配置されている点は変わりない。例えば、特許文献１にハニカム状に画素を配置した固体撮像装置が記載されている。
【特許文献１】特開２００４−７９７４７号公報
【発明の開示】
【発明が解決しようとする課題】
【０００５】
しかしながら、従来の映像装置は、表示する画像のパターンによっては、人間の目にギザが目立って知覚される場合がある。
【０００６】
図１２は、従来の映像装置が表示する画像の一例を示す図である。図１２に示すように、画素配置に平行な水平線および垂直線は完全に直線となる。一方、斜め線は正方格子の近似配置によって、ギザのある図形となる。特に直線の傾きが小さい場合には、ギザの間隔が広い、すなわちギザの空間周波数が低くなり、われわれ人間の目には非常に目立って知覚される。なお、特許文献１に記載の固体撮像装置などのハニカム状に画素を配置した映像装置においても、格子状に画素を配置した場合と直線の方向は異なるが、ギザの目立つ直線が存在することになる。
【０００７】
このように、従来の映像装置は、特に直線などの図形表現において人間の目に目立って知覚されるギザが生じる。また、従来の映像装置において、画素数を増加させ高解像度化を行うことで、ギザの目立たない高精細な映像に近づけることができるが、このギザを根本的に解消することは不可能である。
【０００８】
そこで、本発明は、画素数を増加させることなく高精細な画像を表示または撮影することができる映像装置を提供することを目的とする。
【課題を解決するための手段】
【０００９】
上記目的を達成するために、本発明に係る映像装置は、平面状に配置された複数の画素を備える映像装置であって、前記複数の画素は、それぞれ一部に受光または発光を行う有効領域を含み、前記各画素における有効領域は、予め定められた複数の位置のいずれかにランダムに配置される。
【００１０】
この構成によれば、各画素において、画素内の有効領域の位置をランダムに配置することで、本発明に係る映像装置が表示する直線等において、傾きの変化の周波数成分の分布が従来と比べ均等になる。これにより、従来の映像装置で生じていたギザなどの傾きの変化が人間の目には知覚されにくくなる。よって、本発明に係る映像装置は、高精細な画像を表示または撮影することができる。また、本発明に係る映像装置は、画素内の有効領域の位置を変更することで実現できるので、画素数を増加させることなく高精細な画像を表示または撮影することができる。
【００１１】
また、レイアウトにおいて、前記各画素の境界における配線位置は、同一であってもよい。
【００１２】
この構成によれば、画素のレイアウトにおいて、各画素における配線（行選択線、列選択線および電源線等）の端部の位置がそれぞれ同一になるように形成される。これにより、どの画素を配置しても画素間で配線を電気的に接続することができる。よって、画素のレイアウトを容易に作成することができる。
【００１３】
また、本発明に係る撮影装置は、平面状に配置された複数の画素を備える撮影装置であって、前記複数の画素は、それぞれ一部に受光を行う有効領域を含み、前記各画素における有効領域は、予め定められた複数の位置のいずれかにランダムに配置される。
【００１４】
この構成によれば、各画素において、画素内の有効領域の位置をランダムに配置することで、本発明に係る撮影装置が撮影する直線等において、傾きの変化の周波数成分の分布が従来と比べ均等になる。これにより、従来の撮影装置で生じていたギザなどの傾きの変化が人間の目には知覚されにくくなる。よって、本発明に係る撮影装置は、高精細な画像を撮影することができる。また、本発明に係る撮影装置は、画素内の有効領域の位置を変更することで実現できるので、画素数を増加させることなく高精細な画像を撮影することができる。
【００１５】
また、本発明に係る表示装置は、平面状に配置された複数の画素を備える表示装置であって、前記複数の画素は、それぞれ一部に発光を行う有効領域を含み、前記各画素における有効領域は、予め定められた複数の位置のいずれかにランダムに配置される。
【００１６】
この構成によれば、各画素において、画素内の有効領域の位置をランダムに配置することで、本発明に係る表示装置が表示する直線等において、傾きの変化の周波数成分の分布が従来と比べ均等になる。これにより、従来の表示装置で生じていたギザなどの傾きの変化が人間の目には知覚されにくくなる。よって、本発明に係る表示装置は、高精細な画像を表示することができる。また、本発明に係る表示装置は、画素内の有効領域の位置を変更することで実現できるので、画素数を増加させることなく高精細な画像を表示することができる。
【００１７】
また、本発明に係る画素の配置方法は、受光または発光を行う有効領域を含む、平面状に配置された複数の画素を備える映像装置の画素の配置方法であって、前記各画素における有効領域の位置を、予め定められた複数の配置位置からランダムに選択する。
【００１８】
これによれば、各画素において、画素内の有効領域の位置をランダムに配置することで、映像装置が表示する直線等において、傾きの変化の周波数成分の分布が従来と比べ均等になる。これにより、従来の映像装置で生じていたギザなどの傾きの変化が人間の目には知覚されにくくなる。よって、本発明に係る画素の配置方法により配置した画素を備える映像装置は、高精細な画像を表示または撮影することができる。また、本発明に係る画素の配置方法は、画素数を増加させることなく高精細な画像を表示または撮影する映像装置を形成することができる。
【発明の効果】
【００１９】
本発明は、画素数を増加させることなく高精細な画像を表示または撮影することができる映像装置を提供することができる。
【発明を実施するための最良の形態】
【００２０】
以下、本発明に係る映像装置の実施の形態について、図面を参照しながら詳細に説明する。
【００２１】
本発明の実施の形態に係る映像装置は、各画素において、画素内の有効領域の位置をランダムに配置することで、高精細な画像を表示または撮影することができる。
【００２２】
まず、本実施の形態に係る映像装置の構成を説明する。
【００２３】
図１は、本実施の形態に係る映像装置が備える複数の画素の配置例を示す図である。図１は、３×３の９つの画素１の配置例を示す図である。図１に示すように各画素１は、平面状に規則的に配置される。各画素１は、受光を行う受光素子の受光部、または、発光を行う発光素子の発光部が形成される有効領域２と、トランジスタおよび配線等の周辺回路が形成される周辺領域３とを含む。図１に示すように、本実施の形態に係る映像装置は、各画素内における有効領域２の位置がランダムに配置されている。なお、図１において画素は、３×３の９つであるが複数であればよい。
【００２４】
また、図１において正方形の画素が格子状に配置されているが、ハニカム状であってもよい。また、画素の形状は、正方形に限定されるものではなく、長方形または多角形等であってもよい。
【００２５】
図２は、本発明を撮像装置として使用する場合の画素１の回路構成の一例を示す図である。図２に示すように、画素１は、有効領域２に形成される受光素子であるフォトダイオードＰＤ１を備える。また、画素１は、周辺領域３に形成されるトランジスタＴｒ１〜Ｔｒ３と、列選択線ＲＯＷと、行選択線ＣＯＬと、リセット信号線ＲＳＴと、電源線ＶＤＤとを備える。
【００２６】
図３は、図１に示す画素１として用いられる画素の構成を示す図である。図１に示す９つの画素１は、図３（ａ）〜（ｄ）に示す画素１ａ〜１ｄのうちのいずれかがランダムに選択されたものである。すなわち、各画素１における有効領域２は、予め定められた複数の位置のいずれかにランダムに配置される。図３（ａ）に示す画素１ａは、画素内の左上に有効領域２ａが配置される。図３（ｂ）に示す画素１ｂは、画素内の右上に有効領域２ｂが配置される。図３（ｃ）に示す画素１ｃは、画素内の右下に有効領域２ｃが配置される。図３（ｄ）に示す画素１ｄは、画素内の左下に有効領域２ｄが配置される。また、画素１ａにおける有効領域２ａの位置と画素１ｂにおける有効領域２ｂの位置とは、画素の中心を通る縦軸に対して対称であり、画素１ｃにおける有効領域２ｃの位置と画素１ｄにおける有効領域２ｂの位置とは、画素の中心を通る縦軸に対して対称である。また、画素１ａにおける有効領域２ａの位置と画素１ｄにおける有効領域２ｄの位置とは、画素の中心を通る横軸に対して対称であり、画素１ｂにおける有効領域２ｂの位置と画素１ｃにおける有効領域２ｃの位置とは、画素の中心を通る横軸に対して対称である。
【００２７】
なお、上記説明では、図３（ａ）〜（ｄ）に示す４つの画素のパターンからランダムに配置する画素を選択するとしたが、２以上の画素のパターンからランダムに配置する画素を選択してもよい。例えば、２つのパターンの画素を用いる場合には、図３（ａ）（または図３（ｂ））に示す画素と、図３（ｃ）（または図３（ｄ））に示す画素とから配置する画素をランダムに選択すればよい。また、９つのパターンの画素を用いる場合には、図３（ａ）〜（ｄ）に示す画素に加え、有効領域２の中心が画素１の中心となる画素と、有効領域２の中心が画素１の上方および下方（横方向の位置は画素１の中心）の画素と、有効領域２の中心が画素１の右方および左方（縦方向の位置は画素１の中心）の画素とを用いてもよい。
【００２８】
また、上記説明においては、図３（ａ）〜（ｄ）における各画素の有効領域の位置がそれぞれ対称となるとしたが、本発明は、これに限定されるものではない。
【００２９】
ここで、図１に示す画素の有効領域に着目すると、疑似的に不規則に並んだ二次元配置となる。このような疑似的な不規則な有効領域の配置は、その空間スペクトルがホワイトノイズ状となる。また、このような疑似的な不規則な有効領域の配置は、人間の目の網膜の受光細胞の空間分布と似ているため、従来の映像装置において生じる方向特異性の問題（直線の傾きが小さい場合等にギザが目立つ問題）が解決され、高精細な映像の撮影および表示に有効である。
【００３０】
図１に示す画素構成を有する映像撮像の実現にあたって、図３に示す４種類の画素を、どの順序で配置しても互いが正しく電気的に接続される必要がある。図４は、図３に示す画素１ａ〜１ｄのレイアウトの一例を示す図である。図４に示すように、画素１ａは、上辺に行選択線の一端であるＣＯＬ１ａと、下辺に行選択線の一端であるＣＯＬ２ａと、左辺に電源線の一端であるＶＤＤ１ａおよび列選択線の一端であるＲＯＷ１ａと、右辺に電源線の一端であるＶＤＤ２ａおよび列選択線の一端であるＲＯＷ２ａとを備える。また、図示していないが、画素１ａのレイアウト内においてＣＯＬ１ａとＣＯＬ２ａとは電気的に接続され、ＶＤＤ１ａとＶＤＤ２ａとは電気的に接続され、ＲＯＷ１ａとＲＯＷ２ａとは電気的に接続される。同様に、画素１ｂは、上辺に行選択線の一端であるＣＯＬ１ｂと、下辺に行選択線の一端であるＣＯＬ２ｂと、左辺に電源線の一端であるＶＤＤ１ｂおよび列選択線の一端であるＲＯＷ１ｂと、右辺に電源線の一端であるＶＤＤ２ｂおよび列選択線の一端であるＲＯＷ２ｂとを備える。また、図示していないが、画素１ｂのレイアウト内においてＣＯＬ１ｂとＣＯＬ２ｂとは電気的に接続され、ＶＤＤ１ｂとＶＤＤ２ｂとは電気的に接続され、ＲＯＷ１ｂとＲＯＷ２ｂとは電気的に接続される。画素１ｃは、上辺に行選択線の一端であるＣＯＬ１ｃと、下辺に行選択線の一端であるＣＯＬ２ｃと、左辺に電源線の一端であるＶＤＤ１ｃおよび列選択線の一端であるＲＯＷ１ｃと、右辺に電源線の一端であるＶＤＤ２ｃおよび列選択線の一端であるＲＯＷ２ｃとを備える。また、図示していないが、画素１ｃのレイアウト内においてＣＯＬ１ｃとＣＯＬ２ｃとは電気的に接続され、ＶＤＤ１ｃとＶＤＤ２ｃとは電気的に接続され、ＲＯＷ１ｃとＲＯＷ２ｃとは電気的に接続される。画素１ｄは、上辺に行選択線の一端であるＣＯＬ１ｄと、下辺に行選択線の一端であるＣＯＬ２ｄと、左辺に電源線の一端であるＶＤＤ１ｄおよび列選択線の一端であるＲＯＷ１ｄと、右辺に電源線の一端であるＶＤＤ２ｄおよび列選択線の一端であるＲＯＷ２ｄとを備える。また、図示していないが、画素１ｄのレイアウト内においてＣＯＬ１ｄとＣＯＬ２ｄとは電気的に接続され、ＶＤＤ１ｄとＶＤＤ２ｄとは電気的に接続され、ＲＯＷ１ｄとＲＯＷ２ｄとは電気的に接続される。
【００３１】
図４に示すように、画素１ａ〜１ｄのレイアウトにおいて、各画素の境界における配線位置は、それぞれ同一である。具体的には、ＲＯＷ１ａ〜ＲＯＷ１ｄ、ＲＯＷ２ａ〜ＲＯＷ２ｄ、ＣＯＬ１ａ〜ＣＯＬ１ｄ、ＣＯＬ２ａ〜ＣＯＬ２ｄ、ＶＤＤ１ａ〜ＶＤＤ１ｄおよびＶＤＤ２ａ〜ＶＤＤ２ｄは、それぞれ各画素内の同一の位置に配置される。
【００３２】
以上のように、図４に示すレイアウトを用いることで、どの画素を配置した場合でも、隣接する画素間で、電源線、行選択線および列選択線を電気的に接続することができる。これにより、画素のレイアウトを容易に作成することができる。
【００３３】
なお、図４において、電源線、行選択線および列選択線のレイアウトについて述べたが、これ以外の配線が用いられる場合には、これらの配線（例えば、リセット信号線、ＧＮＤ線等）に対しても各画素の境界における位置を同じにしてもよい。
【００３４】
次に、本発明の効果を説明する。図５は、本実施の形態に係る映像装置が表示する画像と、従来の映像装置が表示する画像とを示す図である。図５（ａ）は、５１２×５１２画素の白画像に２×２画素の仮想画素を用意し、その仮想画素内の同一箇所に有効領域を配置した場合の画像を示す図であり、従来の映像装置が表示する画像に対応する。図５（ｂ）は、５１２×５１２画素の白画像に２×２画素の仮想画素を用意し、図３に示すような４種類の画素の配置順序を乱数で決定した場合の画像を示す図であり、本実施の形態に係る映像装置が表示する画像に対応する。
【００３５】
また、図５において表示される画像は、傾き３度、かつ、仮想画素５個分の幅をもつ直線であり、有効領域がこの直線に含まれる仮想画素の有効領域を黒で示した画像である。また、図５は、横方向に仮想画素１２８個分を抜き出した図である。図５（ａ）に示すように、従来の映像装置が表示する画像は、ギザが強く知覚される。一方、図５（ｂ）に示すように、本実施の形態に係る映像装置が表示する画像は、図５（ａ）に比べ、ギザが目立たない。すなわち、本実施の形態に係る映像装置は、高精細な画像を表示することができる。
【００３６】
ここで、紙面より４０ｃｍの距離から眺めた状態での仮想画素の間隔の視野角を、図５の大きさから求めると約0.04度となる。人間の目が強く知覚するのは視野角で約0.08〜1度である。すなわち、仮想画素で２〜２５画素（画像の空間周波数で約１０〜１２８サイクル）の成分が、人間の目にギザとして強く知覚される。
【００３７】
図６は、図５（ａ）の一部分の拡大図である。図６に示すように、直線端部の局所的な横方向の変化分をΔｘ、縦方向の変換分をΔｙとする。このとき、直線端部の局所的な傾きａは、Δｙ／Δｘで表される。図５（ａ）に示すような規則的な画素配置によって表現された傾きの小さい直線では、この局所的な傾きａは、直線の傾きに応じて数画素ごとに０でない値をとる。すなわち、局所的な傾きａの、画像内での位置に対する変化のスペクトルには、変化の周期の長い低周波成分が強く存在し、これが人間の目には画像のギザとして強調されて知覚されることになる。
【００３８】
図７は、直線端部の局所的な傾きａの変化を示す図である。図７（ａ）は、図５（ａ）に示す従来の映像装置が表示する画像の横位置ｘに対する傾きａを示す図である。図７（ｂ）は、図５（ｂ）に示す本実施の形態に係る映像装置が表示する画像の横位置ｘに対する傾きａを示す図である。図７（ａ）に示すように、従来の映像装置が表示する画像は、規則的に約２０仮想画素（約４０pixel）ごとに、大きな傾きの変化が存在する。一方、図７（ｂ）に示すように、本実施の形態に係る映像装置が表示する画像は、傾きａの変化は不規則に発生する。
【００３９】
図８は、直線端部の局所的な傾きａのスペクトルを示す図である。図８（ａ）は、図５（ａ）に示す従来の映像装置が表示する画像の傾きａのスペクトルを示す図である。図８（ｂ）は、図５（ｂ）に示す本実施の形態に係る映像装置が表示する画像の傾きａのスペクトルを示す図である。図８（ａ）に示すように、従来の映像装置が表示する画像は、人間の目に強く知覚される範囲内の約１３サイクル（約２０仮想画素ごと）の成分が強く存在し、これが人間の目に強く知覚されることになる。一方、図８（ｂ）に示すように、本実施の形態に係る映像装置が表示する画像は、このようなギザに相当する成分の付近にも、同程度の強度の成分が多数存在し、相対的に特定の周波数成分のギザが目立ちにくいことがわかる。この付近の周波数成分と、その周辺の他の周波数成分のスペクトル強度比は、図８（ａ）においては、およそ１：４０となり、図８（ｂ）おいては、およそ１：３となる。すなわち、本実施の形態に係る映像装置が表示する画像は、傾きａの周波数成分の分布が従来と比べ、均等になるので、ギザのような急激な傾きの変化が人間の目には知覚されにくくなる。
【００４０】
ここで、本実施の形態では４種類の画素からランダムに選択した画素を配置しているが、完全にランダムな位置に有効領域を形成する場合との比較を行う。
【００４１】
以下では、画素の配置自体を評価の対象とするために、簡便のため２値画像を用いて評価を行う。２５６×２５６画素の白画像の中に、仮想的に１つの画素に見立てる４×４画素の仮想画素を６４×６４個形成する。この仮想画素の中に、有効領域に見立てる１つの黒画素を配置し、空間スペクトルを求める。
【００４２】
図９は、画素配置の一例を示す図である。図９（ａ）は、上述した本実施の形態と同様に、４種類の画素を、乱数で配置順序を選択して生成した画素配置を示す図である。図９（ｂ）は、仮想画素とは無関係に白画像内に乱数で有効領域を配置した画素配置を示す図である。
【００４３】
図１０は、図９に示す画素配置の空間スペクトルを示す図である。図１０（ａ）は、図９（ａ）の画素配置における空間スペクトルを示す図である。図１０（ｂ）は、図９（ｂ）に示す画素配置における空間スペクトルを示す図である。なお、図１０において、スペクトルの強度が弱い位置は黒色で示し、スペクトル強度が強い位置は白色で示している。
【００４４】
図１０に示すように、４種類の画素からランダムに選択した画素を配置した画素配置に対する空間スペクトルと、完全にランダムな位置に有効領域を形成した画素配置に対する空間スペクトルとに大きな差はない。すなわち、本実施の形態のように有効領域の位置のみが異なる４種類の画素を不規則な順序で配置して得られる画素配置は、ほぼ理想的な不規則配置とみなすことができる。すなわち、図３に示すような４種類の画素をランダムに配置することで、スペクトルを分散させ、ギザを目立たなくさせる効果が十分にあるといえる。
【００４５】
なお、本実施の形態に係る映像装置のような不規則な画素配置では、格子状の規則的な画素配置では完全な直線として表現される水平線や垂直線でも、微小なギザが現れることになる。しかし、画素の間隔は、例えば一般的な液晶ディスプレイで0.3ｍｍ程度である。この場合、ユーザがディスプレイを60ｃｍの距離から眺める場合の視野角は約0.03度となる。これは人間の目の限界分解能である0.02度と同程度であるため、この微小なギザは人間の目には知覚されにくく、画像の精細さに対する影響は微小である。
【００４６】
以上より、本実施の形態に係る映像装置は、各画素において、画素内の有効領域の位置をランダムに配置することで、人間の目に強く認識されるギザの発生を抑制し、高精細な画像を表示または撮影することができる。また、本実施の形態に係る映像装置は、画素内の有効領域の位置を変更することで実現できるので、画素数を増加させることなく高精細な画像を表示または撮影することができる。
【００４７】
また、本実施の形態に係る映像装置は、図３に示すような４つの画素から配置する画素をランダムに選択することで画素配置を形成する。よって、画素配置の設計において、４つの画素から乱数により配置する画素をランダムに選択すればよく、設計が容易である。
【００４８】
また、本実施の形態に係る映像装置は、画素のレイアウトにおいて、各画素における配線（行選択線、列選択線および電源線等）の端部の位置が同一になるように形成される。これにより、どの画素を配置しても画素間の配線を電気的に接続することができる。よって、画素のレイアウトを容易に作成することができる。
【００４９】
また、本実施の形態に係る映像装置にランダムに配置される画素は、図３に示すように、他の画素に対して、有効領域の位置が画素の縦方向および横方向に対して対称となる画素を含む。すなわち、縦方向および横方向に対して有効領域の位置の異なる画素を含む。これにより、全ての方向に対して高精細な画像を表示することができる。さらに、図３に示すようにランダムに配置される複数の画素は、複数の画素の有効領域の位置の平均が画素の中心付近になるように複数の画素を形成される。これにより、より均等に局所的な傾きａのスペクトルを分散させることができるので、ギザを目立たなくさせる効果を向上させることができる。さらに、複数の画素間の有効領域の配置される位置の差を大きくすることで、より均等に局所的な傾きａのスペクトルを分散させることができる。これにより、ギザを目立たなくさせる効果を向上させることができる。
【００５０】
なお、上記説明において、主に表示装置として用いられる映像装置の場合を例に説明したが、本発明は、撮像装置にも適用することができる。
【００５１】
また、上記説明において、各画素内の有効領域の位置を変更するとしたが、有効領域の大きさ、または、形状を変更してもよい。さらに、各画素内の有効領域の位置、大きさおよび形状のうち１以上を変更してもよい。
【産業上の利用可能性】
【００５２】
本発明は、映像装置に適用でき、特に、ＣＣＤ（Charge Coupled Devices）カメラおよびＣＭＯＳ（Complementary Metal Oxide Semiconductor）イメージセンサ等の固体撮像装置に適用できる。また、本発明は、液晶ディスプレイ（ＬＣＤ：Liquid Crystal display）等の表示装置に適用できる。
【図面の簡単な説明】
【００５３】
【図１】本発明の実施の形態に係る映像装置の画素の配置例を示す図である。
【図２】画素の回路構成を示す図である。
【図３】本発明の実施の形態に係る映像装置に用いられる画素の構成を示す図である。
【図４】本発明の実施の形態に係る映像装置の画素のレイアウトを示す図である。
【図５】従来の映像装置および本発明の実施の形態に係る映像装置が表示する画像を示す図である。
【図６】図５の一部分を拡大した図である。
【図７】映像装置が表示する直線の傾きを示す図である。
【図８】映像装置が表示する直線の傾きのスペクトルを示す図である。
【図９】画素の配置の一例を示す図である。
【図１０】図９の画素の配置に対する空間スペクトルを示す図である。
【図１１】従来の映像装置の画素の配置例を示す図である。
【図１２】従来の映像装置の表示する画像の一例を示す図である。
【符号の説明】
【００５４】
１、１ａ〜１ｄ、１０１    画素
２、２ａ〜２ｄ、１０２    有効領域
３、３ａ〜３ｄ、１０３    周辺領域
Ｔｒ１〜Ｔｒ３    トランジスタ
ＰＤ１    フォトダイオード
ＲＳＴ    リセット信号線
ＲＯＷ、ＲＯＷ１ａ〜ＲＯＷ１ｄ、ＲＯＷ２ａ〜ＲＯＷ２ｄ    列選択線
ＣＯＬ、ＣＯＬ１ａ〜ＣＯＬ１ｄ、ＣＯＬ２ａ〜ＣＯＬ２ｄ    行選択線
ＶＤＤ、ＶＤＤ１ａ〜ＶＤＤ１ｄ、ＶＤＤ２ａ〜ＶＤＤ２ｄ    電源線
【図１】
2007325202.tif 000003
【図２】
2007325202.tif 000004
【図３】
2007325202.tif 000005
【図４】
2007325202.tif 000006
【図５】
2007325202.tif 000007
【図６】
2007325202.tif 000008
【図７】
2007325202.tif 000009
【図８】
2007325202.tif 000010
【図９】
2007325202.tif 000011
【図１０】
2007325202.tif 000012
【図１１】
2007325202.tif 000013
【図１２】
2007325202.tif 000014